(57)【要約】【課題】  音声入力装置による音声の入力のために電子機器による処理の実行が必要以上に抑えられることを防ぐことができる音声入力システム、音声入力装置および音声入力プログラムを提供する。【解決手段】  マイクを備える音声入力装置と、複数のＭＦＰとを備える音声入力システムにおいて、音声入力装置は、音声の入力の開始指示の受け付け後にマイクの入力音量が許容上限音量を超える場合（Ｓ１０２でＮＯ）に、処理の実行を抑えさせるための処理抑指示を複数のＭＦＰに送信し、音声の入力の開始指示の受け付け後にマイクの入力音量が許容上限音量以下である場合（Ｓ１０２でＹＥＳ）に、マイクを介した音声の入力を開始し（Ｓ１０６）、複数のＭＦＰのうち、音声の入力に基づく指示としての処理実行指示の対象であるＭＦＰに処理実行指示を送信する（Ｓ１０９）ことを特徴とする。【選択図】  図７
2018169442.tif 000002
【特許請求の範囲】
【請求項１】
マイクを備える音声入力装置と、
複数の電子機器と
を備え、
前記音声入力装置は、
前記マイクを介して音声を入力する音声入力手段と、
前記音声入力手段による音声の入力の開始指示を受け付ける開始指示受付手段と、
前記複数の電子機器に指示を送信する指示送信手段と
を備え、  前記複数の電子機器は、
前記指示のうち前記音声入力手段による音声の入力に基づく処理実行指示の対象である第１の電子機器と、
前記音声入力指示の対象ではない１以上の第２の電子機器と
を含み、
前記指示送信手段は、前記開始指示受付手段による前記開始指示の受け付け後に前記マイクの入力音量が特定の音量を超える場合に、処理の実行を抑えさせるための処理抑指示を前記指示として前記複数の電子機器に送信し、
前記音声入力手段は、前記開始指示受付手段による前記開始指示の受け付け後に前記マイクの入力音量が前記特定の音量以下である場合に、音声の入力を開始し、
前記指示送信手段は、前記処理実行指示を前記第１の電子機器に送信し、
前記第１の電子機器は、前記指示送信手段から送信された前記処理実行指示を受け付けることを特徴とする音声入力システム。
【請求項２】
音声の入力を阻害する阻害処理を管理する阻害処理管理手段を備え、
前記指示送信手段は、前記開始指示受付手段による前記開始指示の受け付け後に前記マイクの入力音量が前記特定の音量を超える場合に、前記阻害処理管理手段によって管理されている前記阻害処理の実行を禁止させるための実行禁止指示を前記処理抑指示として前記複数の電子機器に送信し、
前記阻害処理管理手段は、前記実行禁止指示の送信後に特定のタイミングまで前記マイクの入力音量が前記特定の音量を超える場合に、前記特定のタイミングに前記複数の電子機器の各々によって実行されていた処理を前記阻害処理として管理することを特徴とする請求項１に記載の音声入力システム。
【請求項３】
前記指示送信手段は、前記音声入力手段による音声の入力が終了すると、前記阻害処理の実行の禁止を解除する実行禁止解除指示を前記指示として前記複数の電子機器に送信し、
前記複数の電子機器は、前記実行禁止指示を受け付けると、前記実行禁止解除指示を受け付けるまで、前記阻害処理を実行しないことを特徴とする請求項２に記載の音声入力システム。
【請求項４】
前記電子機器は、
通常モードと、
前記通常モードと比較して少なくとも１つの処理の実行が抑えられる静音モードと
に少なくとも移行可能であり、
前記指示送信手段は、
前記開始指示受付手段による前記開始指示の受け付け後に前記マイクの入力音量が前記特定の音量を超える場合に前記阻害処理管理手段が前記阻害処理を管理していないときと、
前記実行禁止指示の送信後に前記特定のタイミングまで前記マイクの入力音量が前記特定の音量を超える場合と
に、前記静音モードに移行させるための静音モード移行指示を前記処理抑指示として前記複数の電子機器に送信することを特徴とする請求項２または３に記載の音声入力システム。
【請求項５】
前記阻害処理管理手段は、前記阻害処理を前記第１の電子機器に対応させて管理することを特徴とする請求項２から請求項４までの何れかに記載の音声入力システム。
【請求項６】
前記阻害処理管理手段は、前記開始指示受付手段による前記開始指示の受け付け直後に前記マイクの入力音量が前記特定の音量以下である場合に、前記開始指示受付手段による前記開始指示の受け付け直後に前記複数の電子機器の各々によって実行されている処理を前記阻害処理ではない処理として管理することを特徴とする請求項２から請求項５までの何れかに記載の音声入力システム。
【請求項７】
前記阻害処理管理手段は、前記阻害処理として管理している処理と前記阻害処理ではないとして管理している処理とが重複する場合、前記重複する処理を前記阻害処理ではない処理としてのみ管理することを特徴とする請求項６に記載の音声入力システム。
【請求項８】
前記阻害処理管理手段は、前記阻害処理ではない処理を前記第１の電子機器に対応させて管理することを特徴とする請求項６または請求項７に記載の音声入力システム。
【請求項９】
前記阻害処理管理手段は、前記複数の電子機器の各々が前記阻害処理を実行していた時点での前記マイクの入力音量を前記阻害処理に関連付けて管理し、
前記指示送信手段は、前記開始指示受付手段による前記開始指示の受け付け後に前記マイクの入力音量が前記特定の音量を超える場合に、前記阻害処理管理手段によって関連付けられている入力音量が大きい前記阻害処理から順番に前記実行禁止指示を前記順番に応じた前記阻害処理に対応する電子機器に送信することを特徴とする請求項２から請求項８までの何れかに記載の音声入力システム。
【請求項１０】
前記指示送信手段は、ピアツーピア方式の第１の無線通信により前記第１の電子機器に前記処理実行指示を送信し、ネットワークを介する第２の無線通信により前記第１の電子機器及び前記第２の電子機器に前記処理抑指示を送信することを特徴とする請求項１から請求項９までの何れかに記載の音声入力システム。
【請求項１１】
前記音声入力装置は、前記第１の電子機器に装着されている入力装置であることを特徴とする請求項１から請求項１０までの何れかに記載の音声入力システム。
【請求項１２】
マイクと、
前記マイクを介して音声を入力する音声入力手段と、
前記音声入力手段による音声の入力の開始指示を受け付ける開始指示受付手段と、
複数の電子機器に指示を送信する指示送信手段と
を備え、
前記指示送信手段は、前記開始指示受付手段による前記開始指示の受け付け後に前記マイクの入力音量が特定の音量を超える場合に、処理の実行を抑えさせるための処理抑指示を前記指示として前記複数の電子機器に送信し、
前記音声入力手段は、前記開始指示受付手段による前記開始指示の受け付け後に前記マイクの入力音量が前記特定の音量以下である場合に、音声の入力を開始し、
前記指示送信手段は、前記複数の電子機器のうち、前記音声入力手段による音声の入力に基づく前記指示としての処理実行指示の対象である第１の電子機器に前記処理実行指示を送信することを特徴とする音声入力装置。
【請求項１３】
マイクを備えるコンピューターに、
前記マイクを介して音声を入力する音声入力手段と、
前記音声入力手段による音声の入力の開始指示を受け付ける開始指示受付手段と、
複数の電子機器に指示を送信する指示送信手段と
を実現させ、
前記指示送信手段は、前記開始指示受付手段による前記開始指示の受け付け後に前記マイクの入力音量が特定の音量を超える場合に、処理の実行を抑えさせるための処理抑指示を前記指示として前記複数の電子機器に送信し、
前記音声入力手段は、前記開始指示受付手段による前記開始指示の受け付け後に前記マイクの入力音量が前記特定の音量以下である場合に、音声の入力を開始し、
前記指示送信手段は、前記複数の電子機器のうち、前記音声入力手段による音声の入力に基づく前記指示としての処理実行指示の対象である第１の電子機器に前記処理実行指示を送信することを特徴とする音声入力プログラム。
【発明の詳細な説明】
【技術分野】
【０００１】
本発明は、マイクを介して音声を入力する音声入力システム、音声入力装置および音声入力プログラムに関する。
【背景技術】
【０００２】
従来の音声入力システムとして、マイクを備える音声入力装置と、音の生じる動作（以下「音発生動作」と言う。）を実行する電子機器とを備えるものが知られている（例えば、特許文献１参照。）。従来の音声入力システムにおいては、マイクを介した音声の入力の開始指示が受け付けられると、電子機器の有するセンサーのセンシング結果または電子機器の制御状態の少なくとも一方に基づいて音発生動作に緊急性が無いと判定した場合、音発生動作の実行を抑える。
【先行技術文献】
【特許文献】
【０００３】
【特許文献１】特開２０１６−２００７８２号公報
【発明の概要】
【発明が解決しようとする課題】
【０００４】
しかしながら、従来の音声入力システムにおいては、電子機器の音発生動作に緊急性が無い場合には、音発生動作によって生じる音が音声入力装置による音声の入力を阻害しないときであっても、音発生動作の実行が抑えられるので、電子機器における動作の実行が必要以上に抑えられる可能性があるという問題がある。
【０００５】
そこで、本発明は、音声入力装置による音声の入力のために電子機器による処理の実行が必要以上に抑えられることを防ぐことができる音声入力システム、音声入力装置および音声入力プログラムを提供することを目的とする。
【課題を解決するための手段】
【０００６】
本発明の音声入力システムは、マイクを備える音声入力装置と、複数の電子機器とを備える。前記音声入力装置は、前記マイクを介して音声を入力する音声入力手段と、前記音声入力手段による音声の入力の開始指示を受け付ける開始指示受付手段と、前記複数の電子機器に指示を送信する指示送信手段とを備える。前記複数の電子機器は、前記指示のうち前記音声入力手段による音声の入力に基づく処理実行指示の対象である第１の電子機器と、前記音声入力指示の対象ではない１以上の第２の電子機器とを含む。前記指示送信手段は、前記開始指示受付手段による前記開始指示の受け付け後に前記マイクの入力音量が特定の音量を超える場合に、処理の実行を抑えさせるための処理抑指示を前記指示として前記複数の電子機器に送信し、前記音声入力手段は、前記開始指示受付手段による前記開始指示の受け付け後に前記マイクの入力音量が前記特定の音量以下である場合に、音声の入力を開始し、前記指示送信手段は、前記処理実行指示を前記第１の電子機器に送信し、前記第１の電子機器は、前記指示送信手段から送信された前記処理実行指示を受け付けることを特徴とする。
【０００７】
この構成により、本発明の音声入力システムは、音声の入力の開始指示の音声入力装置による受け付け後にマイクの入力音量が特定の音量以下である場合に、処理の実行を抑えさせるための処理抑指示を音声入力装置から複数の電子機器に送信せずに、音声入力装置による音声の入力を開始するので、音声入力装置による音声の入力のために複数の電子機器の各々による処理の実行が必要以上に抑えられることを防ぐことができる。
【０００８】
本発明の音声入力システムは、音声の入力を阻害する阻害処理を管理する阻害処理管理手段を備え、前記指示送信手段は、前記開始指示受付手段による前記開始指示の受け付け後に前記マイクの入力音量が前記特定の音量を超える場合に、前記阻害処理管理手段によって管理されている前記阻害処理の実行を禁止させるための実行禁止指示を前記処理抑指示として前記複数の電子機器に送信し、前記阻害処理管理手段は、前記実行禁止指示の送信後に特定のタイミングまで前記マイクの入力音量が前記特定の音量を超える場合に、前記特定のタイミングに前記複数の電子機器の各々によって実行されていた処理を前記阻害処理として管理しても良い。
【０００９】
この構成により、本発明の音声入力システムは、音声の入力の開始指示の音声入力装置による受け付け後にマイクの入力音量が特定の音量を超える場合に、音声の入力を阻害する阻害処理として管理している処理の実行を禁止させるための実行禁止指示が音声入力装置によって複数の電子機器に送信されるので、複数の電子機器の各々によって実行される処理によって音声入力装置による音声の入力が阻害される可能性を低減することができる。
【００１０】
本発明の音声入力システムにおいて、前記指示送信手段は、前記音声入力手段による音声の入力が終了すると、前記阻害処理の実行の禁止を解除する実行禁止解除指示を前記指示として前記複数の電子機器に送信し、前記複数の電子機器は、前記実行禁止指示を受け付けると、前記実行禁止解除指示を受け付けるまで、前記阻害処理を実行しなくても良い。
【００１１】
この構成により、本発明の音声入力システムは、音声入力装置による音声の入力が終了すると、音声の入力を阻害する阻害処理の実行の禁止を解除する実行禁止解除指示が音声入力装置によって複数の電子機器に送信されるので、音声入力装置による音声の入力が終了するまで、複数の電子機器の各々に阻害処理を停止させておくことができる。
【００１２】
本発明の音声入力システムにおいて、前記電子機器は、通常モードと、前記通常モードと比較して少なくとも１つの処理の実行が抑えられる静音モードとに少なくとも移行可能であり、前記指示送信手段は、前記開始指示受付手段による前記開始指示の受け付け後に前記マイクの入力音量が前記特定の音量を超える場合に前記阻害処理管理手段が前記阻害処理を管理していないときと、前記実行禁止指示の送信後に前記特定のタイミングまで前記マイクの入力音量が前記特定の音量を超える場合とに、前記静音モードに移行させるための静音モード移行指示を前記処理抑指示として前記複数の電子機器に送信しても良い。
【００１３】
この構成により、本発明の音声入力システムは、音声の入力の開始指示の音声入力装置による受け付け後にマイクの入力音量が特定の音量を超える場合に阻害処理を管理していないときと、音声入力装置による複数の電子機器への実行禁止指示の送信後に特定のタイミングまでマイクの入力音量が特定の音量を超える場合とに、静音モード移行指示が音声入力装置によって複数の電子機器に送信されるので、音声入力装置による音声の入力中に複数の電子機器の各々による処理が停止されずに静かに実行される可能性を向上することができる。すなわち、本発明の音声入力システムは、音声入力装置による音声の入力のために複数の電子機器の各々による処理の実行が必要以上に禁止される可能性を低減することができる。
【００１４】
本発明の音声入力システムにおいて、前記阻害処理管理手段は、前記阻害処理を前記第１の電子機器に対応させて管理しても良い。
【００１５】
この構成により、本発明の音声入力システムは、複数のＭＦＰが散在している場合、いずれのＭＦＰを音声の入力により操作するとしても、適切に複数の電子機器による処理の実行を抑制することができる。
【００１６】
本発明の音声入力システムにおいて、前記阻害処理管理手段は、前記開始指示受付手段による前記開始指示の受け付け直後に前記マイクの入力音量が前記特定の音量以下である場合に、前記開始指示受付手段による前記開始指示の受け付け直後に前記複数の電子機器の各々によって実行されている処理を前記阻害処理ではない処理として管理しても良い。
【００１７】
この構成により、本発明の音声入力システムは、音声の入力の開始指示の音声入力装置による受け付け直後にマイクの入力音量が特定の音量以下である場合に、音声の入力の開始指示の音声入力装置による受け付け直後に複数の電子機器の各々によって実行されている処理を阻害処理ではない処理として管理するので、阻害処理の管理の正確性を向上することができる。したがって、本発明の音声入力システムは、音声入力装置による音声の入力のために複数の電子機器の各々による処理の実行が必要以上に禁止される可能性を低減することができる。
【００１８】
本発明の音声入力システムにおいて、前記阻害処理管理手段は、前記阻害処理として管理している処理と前記阻害処理ではないとして管理している処理とが重複する場合、前記重複する処理を前記阻害処理ではない処理としてのみ管理しても良い。
【００１９】
この構成により、本発明の音声入力システムは、阻害処理として管理されている処理であっても、入力音量が特定の音量以下であることが明らかになった処理については、音声の入力を阻害しない処理として管理することができる。
【００２０】
本発明の音声入力システムにおいて、前記阻害処理管理手段は、前記阻害処理ではない処理を前記第１の電子機器に対応させて管理しても良い。
【００２１】
この構成により、本発明の音声入力システムは、複数のＭＦＰが散在している場合、いずれのＭＦＰを音声の入力により操作するとしても、適切に複数の電子機器による処理の実行を抑制することができる。
【００２２】
本発明の音声入力システムにおいて、前記阻害処理管理手段は、前記複数の電子機器の各々が前記阻害処理を実行していた時点での前記マイクの入力音量を前記阻害処理に関連付けて管理し、前記指示送信手段は、前記開始指示受付手段による前記開始指示の受け付け後に前記マイクの入力音量が前記特定の音量を超える場合に、前記阻害処理管理手段によって関連付けられている入力音量が大きい前記阻害処理から順番に前記実行禁止指示を前記順番に応じた前記阻害処理に対応する電子機器に送信しても良い。
【００２３】
この構成により、本発明の音声入力システムは、音声の入力の開始指示の音声入力装置による受け付け後にマイクの入力音量が特定の音量を超える場合に、関連付けられている入力音量が大きい阻害処理から順番に実行禁止指示が音声入力装置によって順番に応じた阻害処理に対応する電子機器に送信されるので、管理している阻害処理の全ての実行が禁止される可能性を低減することができる。
【００２４】
本発明の音声入力システムにおいて、前記指示送信手段は、ピアツーピア方式の第１の無線通信により前記第１の電子機器に前記処理実行指示を送信し、ネットワークを介する第２の無線通信により前記第１の電子機器及び前記第２の電子機器に前記処理抑指示を送信しても良い。
【００２５】
この構成により、本発明の音声入力システムは、音声入力装置による音声の入力が実行される場所が、処理実行指示の対象となる電子機器の近傍に限定されることにより、複数の電子機器の処理毎の入力音声の変動を低減することができるので、適切に複数の電子機器による処理の実行を抑制することができる。
【００２６】
本発明の音声入力システムにおいて、前記音声入力装置は、前記第１の電子機器に装着されている入力装置であっても良い。
【００２７】
この構成により、電子機器の操作部を音声入力装置として使用することができる。
【００２８】
本発明の音声入力装置は、マイクと、前記マイクを介して音声を入力する音声入力手段と、前記音声入力手段による音声の入力の開始指示を受け付ける開始指示受付手段と、複数の電子機器に指示を送信する指示送信手段とを備える。前記指示送信手段は、前記開始指示受付手段による前記開始指示の受け付け後に前記マイクの入力音量が特定の音量を超える場合に、処理の実行を抑えさせるための処理抑指示を前記指示として前記複数の電子機器に送信し、前記音声入力手段は、前記開始指示受付手段による前記開始指示の受け付け後に前記マイクの入力音量が前記特定の音量以下である場合に、音声の入力を開始し、前記指示送信手段は、前記複数の電子機器のうち、前記音声入力手段による音声の入力に基づく前記指示としての処理実行指示の対象である第１の電子機器に前記処理実行指示を送信することを特徴とする。
【００２９】
この構成により、本発明の音声入力装置は、音声の入力の開始指示の受け付け後にマイクの入力音量が特定の音量以下である場合に、処理の実行を抑えさせるための処理抑指示を複数の電子機器に送信せずに、音声の入力を開始するので、音声の入力のために複数の電子機器の各々による処理の実行が必要以上に抑えられることを防ぐことができる。
【００３０】
本発明の音声入力プログラムは、マイクを備えるコンピューターに、前記マイクを介して音声を入力する音声入力手段と、前記音声入力手段による音声の入力の開始指示を受け付ける開始指示受付手段と、複数の電子機器に指示を送信する指示送信手段とを実現させる。前記指示送信手段は、前記開始指示受付手段による前記開始指示の受け付け後に前記マイクの入力音量が特定の音量を超える場合に、処理の実行を抑えさせるための処理抑指示を前記指示として前記複数の電子機器に送信し、前記音声入力手段は、前記開始指示受付手段による前記開始指示の受け付け後に前記マイクの入力音量が前記特定の音量以下である場合に、音声の入力を開始し、前記指示送信手段は、前記複数の電子機器のうち、前記音声入力手段による音声の入力に基づく前記指示としての処理実行指示の対象である第１の電子機器に前記処理実行指示を送信することを特徴とする。
【００３１】
この構成により、本発明の音声入力プログラムを実行するコンピューターは、音声の入力の開始指示の受け付け後にマイクの入力音量が特定の音量以下である場合に、処理の実行を抑えさせるための処理抑指示を複数の電子機器に送信せずに、音声の入力を開始するので、音声の入力のために複数の電子機器の各々による処理の実行が必要以上に抑えられることを防ぐことができる。
【発明の効果】
【００３２】
本発明の音声入力システム、音声入力装置および音声入力プログラムは、音声入力装置による音声の入力のために電子機器による処理の実行が必要以上に抑えられることを防ぐことができる。
【図面の簡単な説明】
【００３３】
【図１】本発明の一実施の形態に係る音声入力システムのブロック図である。
【図２】図１に示す音声入力装置のブロック図である。
【図３】図２に示す対象機器情報の一例を示す図である。
【図４】図２に示すノイズ原因処理テーブルの一例を示す図である。
【図５】図２に示す小音量処理テーブルの一例を示す図である。
【図６】図１に示すＭＦＰのブロック図である。
【図７】音声を入力する場合の図２に示す音声入力装置の動作の一部のフローチャートである。
【図８】図７に示す動作の続きの動作のフローチャートである。
【図９】図８に示す動作の続きの動作のフローチャートである。
【図１０】図１に示すＭＦＰの動作のフローチャートである。
【図１１】図２に示すノイズ原因処理テーブルの図４に示す例とは異なる一例を示す図である。
【図１２】図９に示す動作の変形例を示すフローチャートである。
【発明を実施するための形態】
【００３４】
以下、本発明の実施の形態について、図面を用いて説明する。
【００３５】
まず、本発明の一実施の形態に係る音声入力システムの構成について説明する。
【００３６】
図１は、本実施の形態に係る音声入力システム１０のブロック図である。
【００３７】
図１に示すように、音声入力システム１０は、音声入力装置２０と、電子機器としてのＭＦＰ（Ｍｕｌｔｉｆｕｎｃｔｉｏｎ  Ｐｅｒｉｐｈｅｒａｌ）３０とを備えている。
【００３８】
音声入力システム１０は、ＭＦＰ３０と同様のＭＦＰを、ＭＦＰ３０以外に少なくとも１つ備えることが可能である。
【００３９】
音声入力装置２０は、ＭＦＰ３０と接続して音声の入力によりＭＦＰ３０を操作することができる。本実施の形態において、ＭＦＰ３０は、音声入力装置２０からの音声の入力に基づく指示の対象であるものとし、ＭＦＰ３０以外のＭＦＰ（以降、「他のＭＦＰ」と記載する。）は、音声入力指示の対象ではないものとする。また、音声入力システム１０は、他のＭＦＰを複数備えていても良い。
【００４０】
図２は、音声入力装置２０のブロック図である。
【００４１】
図２に示すように、音声入力装置２０は、種々の操作が入力されるボタンなどの入力デバイスである操作部２１と、種々の情報を表示するＬＣＤ（Ｌｉｑｕｉｄ  Ｃｒｙｓｔａｌ  Ｄｉｓｐｌａｙ）などの表示デバイスである表示部２２と、マイク２３と、スピーカー２４と、ネットワーク経由で、または、ネットワークを介さずに有線または無線によって直接に、外部の装置と通信を行う通信デバイスである通信部２５と、各種の情報を記憶する半導体メモリー、ＨＤＤ（Ｈａｒｄ  Ｄｉｓｋ  Ｄｒｉｖｅ）などの不揮発性の記憶デバイスである記憶部２６と、音声入力装置２０全体を制御する制御部２７とを備えている。音声入力装置２０は、例えば、スマートフォンやタブレットなどのコンピューターによって構成されても良い。
【００４２】
通信部２５は、ピアツーピア方式による近距離無線通信（例えば、Ｂｌｕｅｔｏｏｔｈ（登録商標）、Ｗｉ−Ｆｉダイレクト等）によってＭＦＰ３０と接続することができる。また、通信部２５は、ネットワークを介する無線通信（例えば、無線ＬＡＮ（Ｗｉｒｅｌｅｓｓ  Ｌｏｃａｌ  Ａｒｅａ  Ｎｅｔｗｏｒｋ）等）によってＭＦＰ３０や、ＭＦＰ３０以外のＭＦＰと接続することができる。このため、音声入力装置２０は、ＭＦＰ３０とピアツーピア方式の近距離無線通信を行うことができる位置関係にあるとき、音声の入力によりＭＦＰ３０を操作することができる。
【００４３】
操作部２１には、音声の入力の開始指示を受け付けるための音声入力開始ボタン２１ａが含まれている。
【００４４】
記憶部２６は、マイク２３を介して音声を入力するための音声入力プログラム２６ａを記憶している。音声入力プログラム２６ａは、音声入力装置２０の製造段階で音声入力装置２０にインストールされていても良いし、ＵＳＢ（Ｕｎｉｖｅｒｓａｌ  Ｓｅｒｉａｌ  Ｂｕｓ）メモリーなどの外部の記憶媒体から音声入力装置２０に追加でインストールされても良いし、ネットワーク上から音声入力装置２０に追加でインストールされても良い。
【００４５】
記憶部２６は、音声入力装置２０の処理の対象のＭＦＰを示す対象機器情報２６ｂを記憶可能である。
【００４６】
図３は、対象機器情報２６ｂの一例を示す図である。
【００４７】
図３に示すように、対象機器情報２６ｂには、ＭＦＰの識別情報（以下「機器ＩＤ」と言う。）と、ＭＦＰのＩＰ（Ｉｎｔｅｒｎｅｔ  Ｐｒｏｔｏｃｏｌ）アドレスとの組み合わせが示されている。図３に示す対象機器情報２６ｂには、機器ＩＤ「Ａ」のＭＦＰと、機器ＩＤ「Ｂ」のＭＦＰとが示されている。なお、対象機器情報２６ｂに示されるＭＦＰは、例えば、操作部２１を介して利用者によって指定される。
【００４８】
図２に示すように、記憶部２６は、音声の入力を阻害する阻害処理、すなわち、音声の入力に対するノイズの原因の処理を示すノイズ原因処理テーブル２６ｃを記憶可能である。
【００４９】
図４は、ノイズ原因処理テーブル２６ｃの一例を示す図である。
【００５０】
図４に示すように、ノイズ原因処理テーブル２６ｃには、ＭＦＰの機器ＩＤと、ＭＦＰによって実行されていた処理の処理名と、マイク２３の入力音量との組み合わせが示されている。図４に示すノイズ原因処理テーブル２６ｃでは、例えば、機器ＩＤ「Ａ」と、処理名「ａ」と、入力音量「８０ｄＢ」との組み合わせが示されている。なお、処理名は、図４においては、「ａ」、「ｂ」、「ｃ」など、小文字のアルファベットの１文字で示しているが、実際には「キャリブレーション」、「印刷」など、具体的な処理名が示される。なお、音声入力装置２０は、操作されるＭＦＰとピアツーピア方式の近距離無線通信が可能な位置にあるので、例えば、ＭＦＰ３０と他のＭＦＰが同じフロア内に散在している場合、いずれのＭＦＰを音声の入力により操作するかで、入力音量は異なる。そこで、本実施の形態において、ノイズ原因処理テーブル２６ｃは、音声入力装置２０からの音声の入力により操作されるＭＦＰ毎に作成される。
【００５１】
制御部２７は、例えば、操作部２１からの指示に応じて、ノイズ原因処理テーブル２６ｃの内容を表示部２２に表示することができる。したがって、利用者は、阻害処理に対するマイク２３の入力音量などの情報を確認することができる。
【００５２】
図２に示すように、記憶部２６は、音声の入力を阻害しない処理、すなわち、小音量の処理を示す小音量処理テーブル２６ｄを記憶可能である。
【００５３】
図５は、小音量処理テーブル２６ｄの一例を示す図である。
【００５４】
図５に示すように、小音量処理テーブル２６ｄには、ＭＦＰの機器ＩＤと、ＭＦＰによって実行されていた処理の処理名と、マイク２３の入力音量との組み合わせが示されている。図５に示す小音量処理テーブル２６ｄでは、例えば、機器ＩＤ「Ａ」と、処理名「ｃ」と、入力音量「４０ｄＢ」との組み合わせが示されている。なお、本実施の形態において、小音量処理テーブル２６ｄは、ノイズ原因処理テーブル２６ｃと同様に、音声入力装置２０からの音声の入力により操作されるＭＦＰ毎に作成される。
【００５５】
制御部２７は、例えば、操作部２１からの指示に応じて、小音量処理テーブル２６ｄの内容を表示部２２に表示することができる。したがって、利用者は、阻害処理ではない処理に対するマイク２３の入力音量などの情報を確認することができる。
【００５６】
図２に示す制御部２７は、例えば、ＣＰＵ（Ｃｅｎｔｒａｌ  Ｐｒｏｃｅｓｓｉｎｇ  Ｕｎｉｔ）と、プログラムおよび各種のデータを記憶しているＲＯＭ（Ｒｅａｄ  Ｏｎｌｙ  Ｍｅｍｏｒｙ）と、ＣＰＵの作業領域として用いられるＲＡＭ（Ｒａｎｄｏｍ  Ａｃｃｅｓｓ  Ｍｅｍｏｒｙ）とを備えている。ＣＰＵは、ＲＯＭまたは記憶部２６に記憶されているプログラムを実行する。
【００５７】
制御部２７は、音声入力プログラム２６ａを実行することによって、マイク２３を介して音声を入力する音声入力手段２７ａと、音声入力手段２７ａによる音声の入力の開始指示を受け付ける開始指示受付手段２７ｂと、ＭＦＰ３０に指示を送信する指示送信手段２７ｃと、音声の入力を阻害する阻害処理を管理する阻害処理管理手段２７ｄとを実現する。
【００５８】
図６は、ＭＦＰ３０のブロック図である。
【００５９】
図６に示すように、ＭＦＰ３０は、種々の操作が入力されるボタンなどの入力デバイスである操作部３１と、種々の情報を表示するＬＣＤなどの表示デバイスである表示部３２と、用紙などの記録媒体に画像を印刷する印刷デバイスであるプリンター３３と、原稿から画像を読み取る読取デバイスであるスキャナー３４と、図示していない外部のファクシミリ装置と公衆電話回線などの通信回線経由でファックス通信を行うファックスデバイスであるファックス通信部３５と、ネットワーク経由で、または、ネットワークを介さずに有線または無線によって直接に、外部の装置と通信を行う通信デバイスである通信部３６と、各種の情報を記憶する半導体メモリー、ＨＤＤなどの不揮発性の記憶デバイスである記憶部３７と、ＭＦＰ３０全体を制御する制御部３８とを備えている。
【００６０】
通信部３６は、ピアツーピア方式による近距離無線通信（例えば、Ｂｌｕｅｔｏｏｔｈ（登録商標）、Ｗｉ−Ｆｉダイレクト等）によって音声入力装置２０と接続することができるし、ネットワークを介する無線通信（例えば、無線ＬＡＮ等）によって音声入力装置２０と接続することもできる。なお、ＭＦＰ３０と同様のＭＦＰ３０以外のＭＦＰの通信部は、ネットワークを介する無線通信（例えば、無線ＬＡＮ等）によって音声入力装置２０と接続することができる。
【００６１】
制御部３８は、例えば、ＣＰＵと、プログラムおよび各種のデータを記憶しているＲＯＭと、ＣＰＵの作業領域として用いられるＲＡＭとを備えている。ＣＰＵは、ＲＯＭまたは記憶部３７に記憶されているプログラムを実行する。
【００６２】
なお、ＭＦＰ３０によって実行される処理のうち、音声入力装置２０による音声の入力に対するノイズの原因となる可能性がある処理としては、例えば、プリンター３３によって記録媒体に印刷される色の再現性を向上するためのプリンター３３の色調整の処理としての「キャリブレーション」や、印刷データに応じた画像をプリンター３３によって記録媒体に印刷する処理としての「印刷」などが存在する。
【００６３】
ＭＦＰ３０は、通常モードと、通常モードと比較して多くの処理の実行が抑えられる静音モードとに少なくとも移行可能である。静音モードでは、例えば、「キャリブレーション」が実行されず、「印刷」が通常モードより静かに実行される。
【００６４】
次に、音声入力システム１０の動作について説明する。
【００６５】
図７〜図９は、音声を入力する場合の音声入力装置２０の動作のフローチャートである。本実施の形態では、音声入力装置２０を持つ利用者がＭＦＰ３０の近傍（つまり、音声入力装置２０とＭＦＰ３０とが互いにピアツーピア方式の近距離無線通信を行うことができる位置関係にある。）で、音声の入力によってＭＦＰ３０を操作しようとしているものとする。従って、音声入力装置２０は、ＭＦＰ３０用のノイズ原因処理テーブル２６ｃ及び小音量処理テーブル２６ｄを使用する。また、図７に示すフローチャートのＳ１０１の前又は音声の入力を開始する前に、音声入力装置２０とＭＦＰ３０とのピアツーピア方式の近距離無線通信の接続を確立しているものとする。また、ＭＦＰ３０及び他のＭＦＰ（ここでは、他のＭＦＰが複数あるものとして説明する。）は、対象機器情報２６ｂに含まれるものとする。
【００６６】
利用者は、音声入力装置２０の音声入力開始ボタン２１ａを押すことができる。音声入力装置２０の開始指示受付手段２７ｂは、音声入力開始ボタン２１ａが押されると、音声入力手段２７ａによる音声の入力の開始指示を受け付け、図７〜図９に示す動作を実行する。なお、音声入力開始ボタン２１ａは、ハードウェアキーでも良いし、表示部２２に表示される画面上に生成されたソフトウェアキーでも良い。
【００６７】
図７〜図９に示すように、音声入力手段２７ａは、表示部２２に表示する画面によって、マイク２３を介した音声の入力の待機の指示を通知する（Ｓ１０１）。したがって、利用者は、マイク２３への音声の入力を開始することを待機することができる。
【００６８】
次いで、指示送信手段２７ｃは、マイク２３の入力音量が特定の音量（以下「許容上限音量」と言う。）以下であるか否かを判断する（Ｓ１０２）。ここで、許容上限音量は、マイク２３を介した音声の入力を阻害しない最大の入力音量である。
【００６９】
阻害処理管理手段２７ｄは、マイク２３の入力音量が許容上限音量以下である、すなわち、音声入力装置２０の周囲の音の大きさが許容上限音量以下であるとＳ１０２において判断されると、マイク２３の入力音量を記憶する（Ｓ１０３）。
【００７０】
次いで、指示送信手段２７ｃは、実行中の処理の処理名を記憶させるための処理名記憶指示を、対象機器情報２６ｂに示されるＭＦＰの全て（すなわち、ＭＦＰ３０及び他のＭＦＰの全て）に送信する（Ｓ１０４）。ここで、指示送信手段２７ｃは、処理名記憶指示の送信先のアドレスとして、対象機器情報２６ｂに示されるＩＰアドレスを利用する。
【００７１】
図１０は、ＭＦＰの動作のフローチャートである。
【００７２】
図１０に示すように、ＭＦＰの制御部は、指示を受信したと判断するまで、指示を受信したか否かを判断する（Ｓ２０１）。
【００７３】
ＭＦＰの制御部は、指示を受信したとＳ２０１において判断すると、受信した指示の種類を判断する（Ｓ２０２）。
【００７４】
ＭＦＰの制御部は、受信した指示の種類が処理名記憶指示であるとＳ２０２において判断すると、実行中の処理の処理名をＭＦＰ自身の記憶部に記憶して（Ｓ２０３）、Ｓ２０１の処理を実行する。
【００７５】
図７〜図９に示すように、音声入力手段２７ａは、Ｓ１０４の処理の後、表示部２２に表示する画面と、スピーカー２４から出力する音声とによって、マイク２３を介した音声の入力の指示を通知して（Ｓ１０５）、マイク２３を介して音声の入力を開始する（Ｓ１０６）。したがって、利用者は、マイク２３への音声の入力を開始することができる。
【００７６】
次いで、音声入力手段２７ａは、音声の入力が終了したと判断するまで、音声の入力が終了したか否かを例えばマイク２３の入力音量に基づいて判断する（Ｓ１０７）。ここで、音声入力手段２７ａは、操作部２１の音声入力終了ボタンが押されることにより、または音声入力手段２７ａが特定時間、マイク２３を介する音声の入力がないと判断することにより、音声の入力が終了したと判断しても良い。
【００７７】
音声入力手段２７ａは、音声の入力が終了したとＳ１０７において判断すると、マイク２３を介して入力された音声を解釈する（Ｓ１０８）。
【００７８】
次いで、指示送信手段２７ｃは、Ｓ１０８における解釈結果に応じた処理を実行させるための処理実行指示をピアツーピア方式の近距離無線通信によりＭＦＰ３０に送信する（Ｓ１０９）。
【００７９】
図１０に示すように、ＭＦＰ３０の制御部３８は、指示を受信したとＳ２０１において判断した後、受信した処理の種類が処理実行指示であるとＳ２０２において判断すると、処理実行指示において指定されている処理を実行して（Ｓ２０４）、Ｓ２０１の処理を実行する。
【００８０】
図７〜図９に示すように、指示送信手段２７ｃは、Ｓ１０９の処理の後、処理名を送信させるための処理名送信指示を、ネットワークを介して、対象機器情報２６ｂに示されるＭＦＰの全てに送信する（Ｓ１１０）。ここで、指示送信手段２７ｃは、処理名送信指示の送信先のアドレスとして、対象機器情報２６ｂに示されるＩＰアドレスを利用する。
【００８１】
図１０に示すように、対象機器情報２６ｂに示されるＭＦＰの全ての各々の制御部は、指示を受信したとＳ２０１において判断した後、受信した処理の種類が処理名送信指示であるとＳ２０２において判断すると、ＭＦＰ自身の記憶部に記憶している処理名を返信した（Ｓ２０５）後、ＭＦＰ自身の記憶部に記憶している処理名を削除して（Ｓ２０６）、Ｓ２０１の処理を実行する。
【００８２】
図７〜図９に示すように、阻害処理管理手段２７ｄは、Ｓ１１０の処理の後、対象機器情報２６ｂに示されるＭＦＰの全てから処理名が送信されてきたと判断するまで、対象機器情報２６ｂに示されるＭＦＰの全てから処理名が送信されてきたか否かを判断する（Ｓ１１１）。
【００８３】
阻害処理管理手段２７ｄは、対象機器情報２６ｂに示されるＭＦＰの全てから処理名が送信されてきたとＳ１１１において判断すると、対象機器情報２６ｂに示される機器ＩＤのそれぞれと、これらの機器ＩＤのＭＦＰから送信されてきた処理名と、Ｓ１０３において記憶した入力音量との組み合わせに基づいて小音量処理テーブル２６ｄを更新する（Ｓ１１２）。ここで、阻害処理管理手段２７ｄは、小音量処理テーブル２６ｄを更新する際に、新たな「機器ＩＤ、処理名および入力音量の組み合わせ」と、機器ＩＤおよび処理名の組み合わせが共通する古い「機器ＩＤ、処理名および入力音量の組み合わせ」が小音量処理テーブル２６ｄに存在する場合、古い「機器ＩＤ、処理名および入力音量の組み合わせ」を、新たな「機器ＩＤ、処理名および入力音量の組み合わせ」で上書きする。
【００８４】
次いで、阻害処理管理手段２７ｄは、ノイズ原因処理テーブル２６ｃと、小音量処理テーブル２６ｄとで重複する処理をノイズ原因処理テーブル２６ｃから削除する（Ｓ１１３）。すなわち、阻害処理管理手段２７ｄは、ノイズ原因処理テーブル２６ｃにおける機器ＩＤ、処理名および入力音量の組み合わせのうち、機器ＩＤおよび処理名の組み合わせが小音量処理テーブル２６ｄにも含まれるものを、ノイズ原因処理テーブル２６ｃから削除する。
【００８５】
例えば、ノイズ原因処理テーブル２６ｃが図１１に示すものであり、小音量処理テーブル２６ｄが図５に示すものである場合、機器ＩＤ「Ｂ」のＭＦＰの処理名「ｂ」の処理は、ノイズ原因処理テーブル２６ｃおよび小音量処理テーブル２６ｄの両方に含まれるので、阻害処理管理手段２７ｄは、機器ＩＤ「Ｂ」のＭＦＰの処理名「ｂ」の処理を図４に示すようにノイズ原因処理テーブル２６ｃから削除する。これにより、阻害処理としてノイズ原因処理テーブル２６ｃに登録された処理であっても、入力音量が許容上限音量以下であることが明らかになった処理については、音声の入力を阻害しない処理として小音量処理テーブル２６ｄで管理することができる。
【００８６】
図７〜図９に示すように、制御部２７は、Ｓ１１３の処理の後、図７〜図９に示す動作を終了する。
【００８７】
指示送信手段２７ｃは、マイク２３の入力音量が許容上限音量を超える、すなわち、音声入力装置２０の周囲の音の大きさが許容上限音量を超えるとＳ１０２において判断すると、ノイズ原因処理テーブル２６ｃに処理が含まれているか否かを判断する（Ｓ１２１）。
【００８８】
阻害処理管理手段２７ｄは、ノイズ原因処理テーブル２６ｃに処理が含まれていない、すなわち、阻害処理管理手段２７ｄが阻害処理を管理していないとＳ１２１において判断されると、マイク２３の入力音量を記憶する（Ｓ１２２）。
【００８９】
次いで、指示送信手段２７ｃは、処理の実行を抑えさせるための処理抑指示として、静音モードに移行させるための静音モード移行指示を、ネットワークを介して、対象機器情報２６ｂに示されるＭＦＰの全てに送信する（Ｓ１２３）。ここで、指示送信手段２７ｃは、静音モード移行指示の送信先のアドレスとして、対象機器情報２６ｂに示されるＩＰアドレスを利用する。
【００９０】
図１０に示すように、対象機器情報２６ｂに示されるＭＦＰの全ての各々の制御部は、指示を受信したとＳ２０１において判断した後、受信した処理の種類が静音モード移行指示であるとＳ２０２において判断すると、実行中の処理の処理名をＭＦＰ自身の記憶部に記憶した（Ｓ２０７）後、ＭＦＰ自身を静音モードに移行して（Ｓ２０８）、Ｓ２０１の処理を実行する。
【００９１】
図７〜図９に示すように、音声入力手段２７ａは、Ｓ１２３の処理の後、マイク２３の入力音量が許容上限音量以下になるまで、マイク２３の入力音量が許容上限音量以下であるか否かを判断する（Ｓ１２４）。
【００９２】
制御部２７は、マイク２３の入力音量が許容上限音量以下であるとＳ１２４において判断すると、Ｓ１０５〜Ｓ１０７と同様にＳ１２５〜Ｓ１２７を実行する。
【００９３】
指示送信手段２７ｃは、音声の入力が終了したとＳ１２７において判断されると、通常モードに移行させるための通常モード移行指示を、ネットワークを介して、対象機器情報２６ｂに示されるＭＦＰの全てに送信する（Ｓ１２８）。ここで、指示送信手段２７ｃは、通常モード移行指示の送信先のアドレスとして、対象機器情報２６ｂに示されるＩＰアドレスを利用する。
【００９４】
図１０に示すように、対象機器情報２６ｂに示されるＭＦＰの全ての各々の制御部は、指示を受信したとＳ２０１において判断した後、受信した処理の種類が通常モード移行指示であるとＳ２０２において判断すると、ＭＦＰ自身を通常モードに移行して（Ｓ２０９）、Ｓ２０１の処理を実行する。
【００９５】
図７〜図９に示すように、制御部２７は、Ｓ１２８の処理の後、Ｓ１０８〜Ｓ１１１と同様にＳ１２９〜Ｓ１３２を実行する。
【００９６】
阻害処理管理手段２７ｄは、対象機器情報２６ｂに示されるＭＦＰの全てから処理名が送信されてきたとＳ１３２において判断すると、対象機器情報２６ｂに示される機器ＩＤのそれぞれと、これらの機器ＩＤのＭＦＰから送信されてきた処理名と、Ｓ１２２において記憶した入力音量、すなわち、ＭＦＰが阻害処理を実行していた時点でのマイク２３の入力音量との組み合わせに基づいてノイズ原因処理テーブル２６ｃを更新する（Ｓ１３３）。ここで、阻害処理管理手段２７ｄは、ノイズ原因処理テーブル２６ｃを更新する際に、新たな「機器ＩＤ、処理名および入力音量の組み合わせ」と、機器ＩＤおよび処理名の組み合わせが共通する古い「機器ＩＤ、処理名および入力音量の組み合わせ」がノイズ原因処理テーブル２６ｃに存在する場合、古い「機器ＩＤ、処理名および入力音量の組み合わせ」を、新たな「機器ＩＤ、処理名および入力音量の組み合わせ」で上書きする。
【００９７】
次いで、阻害処理管理手段２７ｄは、Ｓ１１３を実行する。
【００９８】
指示送信手段２７ｃは、ノイズ原因処理テーブル２６ｃに少なくとも１つの処理が含まれている、すなわち、阻害処理管理手段２７ｄが阻害処理を管理しているとＳ１２１において判断すると、ノイズ原因処理テーブル２６ｃに含まれている全ての阻害処理のそれぞれに関して、ノイズ原因処理テーブル２６ｃにおいて阻害処理に対応付けられているＭＦＰに、阻害処理の実行を禁止させるための実行禁止指示を処理抑指示として送信する（Ｓ１４１）。ここで、指示送信手段２７ｃは、実行禁止指示の送信先のアドレスとして、対象機器情報２６ｂに示されるＩＰアドレスを利用する。
【００９９】
図１０に示すように、阻害処理に対応付けられているＭＦＰの全ての各々の制御部は、指示を受信したとＳ２０１において判断した後、受信した処理の種類が実行禁止指示であるとＳ２０２において判断すると、実行禁止指示において指定されている処理をＭＦＰ自身が実行することを禁止して（Ｓ２１０）、Ｓ２０１の処理を実行する。
【０１００】
図７〜図９に示すように、音声入力手段２７ａは、Ｓ１４１の処理の後、マイク２３の入力音量が許容上限音量以下であるか否かを判断する（Ｓ１４２）。
【０１０１】
指示送信手段２７ｃは、マイク２３の入力音量が許容上限音量を超えるとＳ１４２において判断されると、Ｓ１４１の処理から特定の時間（例えば、数秒から数十秒に設定された時間）が経過したか否かを判断する（Ｓ１４３）。
【０１０２】
音声入力手段２７ａは、Ｓ１４１の処理から特定の時間が経過していないとＳ１４３において判断されると、Ｓ１４２の処理を実行する。
【０１０３】
制御部２７は、マイク２３の入力音量が許容上限音量以下であるとＳ１４２において判断すると、Ｓ１０５〜Ｓ１０７と同様にＳ１４４〜Ｓ１４６を実行する。
【０１０４】
指示送信手段２７ｃは、音声の入力が終了したとＳ１４６において判断されると、今回の図７〜図９に示す動作においてＳ１４１の処理によって実行禁止指示を送信したＭＦＰの全てに、Ｓ１４１の処理によって送信した実行禁止指示を解除させるための実行禁止解除指示を、ネットワークを介して送信する（Ｓ１４７）。ここで、指示送信手段２７ｃは、実行禁止解除指示の送信先のアドレスとして、対象機器情報２６ｂに示されるＩＰアドレスを利用する。
【０１０５】
図１０に示すように、実行禁止指示において指定されている処理の実行を禁止しているＭＦＰの全ての各々の制御部は、指示を受信したとＳ２０１において判断した後、受信した処理の種類が実行禁止解除指示であるとＳ２０２において判断すると、実行禁止解除指示において指定されている処理をＭＦＰ自身が実行することの禁止を解除して（Ｓ２１１）、Ｓ２０１の処理を実行する。このとき、ＭＦＰの制御部は、停止中の処理の実行を再開しても良い。
【０１０６】
図７〜図９に示すように、制御部２７は、Ｓ１４７の処理の後、Ｓ１０８およびＳ１０９と同様にＳ１４８およびＳ１４９を実行して、図７〜図９に示す動作を終了する。
【０１０７】
指示送信手段２７ｃは、Ｓ１４１の処理から特定の時間が経過したとＳ１４３において判断すると、Ｓ１２２の処理を実行する。したがって、阻害処理管理手段２７ｄは、実行禁止指示の送信（Ｓ１４１）後に特定のタイミング、すなわち、特定の時間が経過するタイミングまでマイク２３の入力音量が許容上限音量を超える場合（Ｓ１４３でＹＥＳ）に、特定のタイミングにＭＦＰによって実行されていた処理を阻害処理として管理する（Ｓ１３３）。
【０１０８】
以上に説明したように、音声入力システム１０は、音声の入力の開始指示の音声入力装置２０による受け付け後にマイク２３の入力音量が許容上限音量以下である場合（Ｓ１０２でＹＥＳ）に、処理の実行を抑えさせるための処理抑指示を音声入力装置２０から複数のＭＦＰに送信せずに、音声入力装置２０による音声の入力を開始する（Ｓ１０６）ので、音声入力装置２０による音声の入力のために複数のＭＦＰの各々による処理の実行が必要以上に抑えられることを防ぐことができる。
【０１０９】
音声入力システム１０は、音声の入力の開始指示の音声入力装置２０による受け付け後にマイク２３の入力音量が許容上限音量を超える場合（Ｓ１０２でＮＯ）に、音声の入力を阻害する阻害処理として管理している処理の実行を禁止させるための実行禁止指示が音声入力装置２０によって複数のＭＦＰに送信される（Ｓ１４１）ので、複数のＭＦＰの各々によって実行される処理によって音声入力装置２０による音声の入力が阻害される可能性を低減することができる。
【０１１０】
音声入力システム１０は、音声入力装置２０による音声の入力が終了すると（Ｓ１４６でＹＥＳ）、音声の入力を阻害する阻害処理の実行の禁止を解除する実行禁止解除指示が音声入力装置２０によって複数のＭＦＰに送信される（Ｓ１４７）ので、音声入力装置２０による音声の入力が終了するまで、複数のＭＦＰの各々に阻害処理を停止させておくことができる。
【０１１１】
音声入力システム１０は、音声の入力の開始指示の音声入力装置２０による受け付け後にマイク２３の入力音量が許容上限音量を超える場合（Ｓ１０２でＮＯ）に阻害処理を管理していないとき（Ｓ１２１でＮＯ）と、音声入力装置２０による複数のＭＦＰへの実行禁止指示の送信（Ｓ１４１）後に特定のタイミング、すなわち、特定の時間が経過するタイミングまでマイク２３の入力音量が許容上限音量を超える場合（Ｓ１４３でＹＥＳ）とに、静音モード移行指示が音声入力装置２０によって複数のＭＦＰに送信される（Ｓ１２３）ので、音声入力装置２０による音声の入力中に複数のＭＦＰの各々による処理が停止されずに静かに実行される可能性を向上することができる。すなわち、音声入力システム１０は、音声入力装置２０による音声の入力のために複数のＭＦＰの各々による処理の実行が必要以上に禁止される可能性を低減することができる。
【０１１２】
音声入力システム１０は、処理実行指示の対象であるＭＦＰに対応させて阻害処理を音声入力装置２０が管理しているので、複数のＭＦＰが散在している場合、いずれのＭＦＰを音声の入力により操作するとしても、適切に複数のＭＦＰによる処理の実行を抑制することができる。
【０１１３】
音声入力システム１０は、音声の入力の開始指示の音声入力装置２０による受け付け直後にマイク２３の入力音量が許容上限音量以下である場合（Ｓ１０２でＹＥＳ）に、音声の入力の開始指示の音声入力装置２０による受け付け直後に複数のＭＦＰの各々によって実行されている処理を阻害処理ではない処理として管理する（Ｓ１１２）ので、阻害処理の管理の正確性を向上することができる。したがって、音声入力システム１０は、音声入力装置２０による音声の入力のために複数のＭＦＰの各々による処理の実行が必要以上に禁止される可能性を低減することができる。
【０１１４】
音声入力システム１０は、阻害処理として管理している処理と、阻害処理ではないとして管理している処理とが重複する場合、重複する処理を阻害処理ではない処理としてのみ管理するので、阻害処理として管理されている処理であっても、入力音量が許容上限音量以下であることが明らかになった処理については、音声の入力を阻害しない処理として管理することができる。
【０１１５】
音声入力システム１０は、処理実行指示の対象であるＭＦＰに対応させて阻害処理ではない処理を音声入力装置２０が管理しているので、複数のＭＦＰが散在している場合、いずれのＭＦＰを音声の入力により操作するとしても、適切に複数のＭＦＰによる処理の実行を抑制することができる。
【０１１６】
音声入力システム１０は、音声入力装置２０がピアツーピア方式の無線通信によりＭＦＰに処理実行指示を送信するので、音声入力装置２０による音声の入力が実行される場所が、処理実行指示の対象となるＭＦＰの近傍に限定されることにより、複数のＭＦＰの処理毎の入力音声の変動を低減することができ、その結果、適切に複数のＭＦＰによる処理の実行を抑制することができる。
【０１１７】
音声入力システム１０は、ＭＦＰが阻害処理を管理する構成でも良い。
【０１１８】
音声入力システム１０は、本実施の形態において、音声の入力の開始指示の音声入力装置２０による受け付け後にマイク２３の入力音量が許容上限音量を超える場合（Ｓ１０２でＮＯ）に、ノイズ原因処理テーブル２６ｃに含まれている全ての阻害処理のそれぞれに関して、ノイズ原因処理テーブル２６ｃにおいて阻害処理に対応付けられているＭＦＰに実行禁止指示を送信する（Ｓ１４１）。しかしながら、音声入力システム１０は、音声の入力の開始指示の音声入力装置２０による受け付け後にマイク２３の入力音量が許容上限音量を超える場合（Ｓ１０２でＮＯ）に、図１２に示すように、ノイズ原因処理テーブル２６ｃにおいて関連付けられている入力音量が大きい阻害処理から順番に実行禁止指示をＭＦＰに送信しても良い。
【０１１９】
図１２は、図９に示す動作の変形例を示すフローチャートである。
【０１２０】
指示送信手段２７ｃは、ノイズ原因処理テーブル２６ｃに少なくとも１つの処理が含まれている、すなわち、阻害処理管理手段２７ｄが阻害処理を管理しているとＳ１２１において判断すると、図１２に示すように、ノイズ原因処理テーブル２６ｃに含まれていて、今回の図１２に示す動作において未だ対象としていない阻害処理のうち、ノイズ原因処理テーブル２６ｃにおいて関連付けられている入力音量が最も大きい阻害処理を対象にする（Ｓ１６１）。
【０１２１】
次いで、指示送信手段２７ｃは、現在の対象の阻害処理がノイズ原因処理テーブル２６ｃにおいて関連付けられている機器ＩＤのＭＦＰに、ネットワークを介して、現在の対象の阻害処理の実行を禁止させるための実行禁止指示を処理抑指示として送信する（Ｓ１６２）。ここで、指示送信手段２７ｃは、実行禁止指示の送信先のアドレスとして、対象機器情報２６ｂに示されるＩＰアドレスを利用する。
【０１２２】
次いで、音声入力手段２７ａは、マイク２３の入力音量が許容上限音量以下であるか否かを判断する（Ｓ１６３）。
【０１２３】
指示送信手段２７ｃは、マイク２３の入力音量が許容上限音量を超えるとＳ１６３において判断されると、直前のＳ１６２の処理から特定の時間が経過したか否かを判断する（Ｓ１６４）。ここで、特定の時間とは、例えば、３秒や５秒などの時間である。
【０１２４】
音声入力手段２７ａは、直前のＳ１６２の処理から特定の時間が経過していないとＳ１６４において判断されると、Ｓ１６３の処理を実行する。
【０１２５】
指示送信手段２７ｃは、直前のＳ１６２の処理から特定の時間が経過したとＳ１６４において判断すると、ノイズ原因処理テーブル２６ｃに含まれていて、今回の図１２に示す動作において未だ対象としていない阻害処理が存在するか否かを判断する（Ｓ１６５）。
【０１２６】
指示送信手段２７ｃは、今回の図１２に示す動作において未だ対象としていない阻害処理が存在するとＳ１６５において判断すると、Ｓ１６１の処理を実行する。
【０１２７】
制御部２７は、マイク２３の入力音量が許容上限音量以下であるとＳ１６３において判断すると、Ｓ１０５〜Ｓ１０７と同様にＳ１６６〜Ｓ１６８を実行する。
【０１２８】
指示送信手段２７ｃは、音声の入力が終了したとＳ１６８において判断されると、今回の図１２に示す動作においてＳ１６２の処理によって実行禁止指示を送信したＭＦＰの全てに、Ｓ１６２の処理によって送信した実行禁止指示を解除させるための実行禁止解除指示を、ネットワークを介して送信する（Ｓ１６９）。ここで、指示送信手段２７ｃは、実行禁止解除指示の送信先のアドレスとして、対象機器情報２６ｂに示されるＩＰアドレスを利用する。
【０１２９】
次いで、制御部２７は、Ｓ１０８およびＳ１０９と同様にＳ１７０およびＳ１７１を実行して、図７、図８および図１２に示す動作を終了する。
【０１３０】
指示送信手段２７ｃは、今回の図１２に示す動作において未だ対象としていない阻害処理が存在しないとＳ１６５において判断すると、Ｓ１２２の処理を実行する。
【０１３１】
音声入力システム１０は、音声入力装置２０が図９に示す動作に代えて図１２に示す動作を実行する場合、音声の入力の開始指示の音声入力装置２０による受け付け後にマイク２３の入力音量が許容上限音量を超えるとき（Ｓ１０２でＮＯ）に、ノイズ原因処理テーブル２６ｃにおいて関連付けられている入力音量が大きい阻害処理から順番に実行禁止指示が音声入力装置２０によって順番に応じた阻害処理に対応するＭＦＰに送信される（Ｓ１６１〜Ｓ１６５）ので、管理している阻害処理の全ての実行が禁止される可能性を低減することができる。
【０１３２】
静音モードは、本実施の形態において通常モードと比較して多くの処理の実行が抑えられるモードであるが、通常モードと比較して少なくとも１つの処理の実行が抑えられるモードでも良い。
【０１３３】
図８に示すＳ１２４において、音声入力手段２７ａによってマイク２３の入力音量が許容上限音量を特定の時間（例えば、数秒から数十秒に設定された時間）継続して超えていると判断すると、指示送信手段２７ｃは、処理の実行を抑えさせるための処理抑指示として、処理の実行を停止させるための処理停止指示を、ネットワークを介して、対象機器情報２６ｂに示されるＭＦＰの全てに送信しても良い。この場合、制御部２７は、処理停止指示を送信した後、Ｓ１２５の処理を実行する。処理停止指示を受け付けたＭＦＰの全ての各々の制御部は、図１０に示すＳ２０７と同様の処理を実行した後、実行中の処理を停止する。その後、実行中の処理を停止しているＭＦＰの全ての各々の制御部は、通常モード移行指示を受け付けると、Ｓ２０９の処理を実行する。このとき、実行中の処理を停止しているＭＦＰの全ての各々の制御部は、停止中の処理の実行を再開しても良い。
【０１３４】
図９に示すＳ１４１で音声入力装置２０から送信された実行禁止指示に基づいて、処理の実行を停止しているＭＦＰの制御部は、図８に示すＳ１２８で音声入力装置２０から送信された通常モード移行指示に基づいて、図１０に示すＳ２０９の処理を実行してＭＦＰ自身を通常モードに移行するとともに、Ｓ２１１の処理を実行して停止中の処理の実行を再開しても良い。
【０１３５】
図９に示すＳ１４３の後の図８に示すＳ１２８において、指示送信手段２７ｃは、通常モードに移行させるための通常モード移行指示を、ネットワークを介して、対象機器情報２６ｂに示されるＭＦＰの全てに送信するとともに、図９に示すＳ１４１の処理によって実行禁止指示を送信したＭＦＰの全てに、Ｓ１４１の処理によって送信した実行禁止指示を解除させるための実行禁止解除指示を、ネットワークを介して送信しても良い。この場合、通常モード移行指示を受け付けたＭＦＰの制御部は、図１０に示すＳ２０９において、ＭＦＰ自身を通常モードに移行する。さらに、実行禁止解除指示を受け付けたＭＦＰの制御部は、図１０に示すＳ２１１において、停止中の処理の実行を再開する。
【０１３６】
音声入力装置２０は、ＭＦＰ３０に装着された、例えば、操作パネルであっても良い。ここで、音声入力装置２０の通信部２５とＭＦＰ３０の通信部３６は、ピアツーピア方式による近距離無線通信（例えば、Ｂｌｕｅｔｏｏｔｈ（登録商標）、Ｗｉ−Ｆｉダイレクト、ＮＦＣ（Ｎｅａｒ  Ｆｉｅｌｄ  Ｃｏｍｍｕｎｉｃａｔｉｏｎ）等）によって互いに接続されていても良い。あるいは、音声入力装置２０とＭＦＰ３０の双方に備えられているインターフェースが互いに通信するために有線で接続されていても良い。また、音声入力装置２０は、ＭＦＰ３０に脱着可能な構造を有していても良い。
【０１３７】
図７に示すＳ１１２において、阻害処理管理手段２７ｄは、小音量処理テーブル２６ｄを更新する際に、新たな「機器ＩＤ、処理名および入力音量の組み合わせ」と、機器ＩＤおよび処理名の組み合わせが共通する古い「機器ＩＤ、処理名および入力音量の組み合わせ」が小音量処理テーブル２６ｄに存在する場合、新たな入力音量が古い入力音量未満の場合、古い「機器ＩＤ、処理名および入力音量の組み合わせ」を、新たな「機器ＩＤ、処理名および入力音量の組み合わせ」で上書きしても良い。この処理が繰り返されることにより、小音量処理テーブル２６ｄに登録される入力音量をＭＦＰから送信されてきた処理名に対応する処理単独の入力音量に近づけることができる。
【０１３８】
図８に示すＳ１３３において、阻害処理管理手段２７ｄは、ノイズ原因処理テーブル２６ｃを更新する際に、新たな「機器ＩＤ、処理名および入力音量の組み合わせ」と、機器ＩＤおよび処理名の組み合わせが共通する古い「機器ＩＤ、処理名および入力音量の組み合わせ」がノイズ原因処理テーブル２６ｃに存在する場合、新たな入力音量が古い入力音量未満の場合、古い「機器ＩＤ、処理名および入力音量の組み合わせ」を、新たな「機器ＩＤ、処理名および入力音量の組み合わせ」で上書きしても良い。この処理が繰り返されることにより、ノイズ原因処理テーブル２６ｃに登録される入力音量をＭＦＰから送信されてきた処理名に対応する処理単独の入力音量に近づけることができる。
【０１３９】
図１２に示すＳ１６３とＳ１６６の間において、指示送信手段２７ｃは、実行中の処理の処理名を記憶させるための処理名記憶指示を、対象機器情報２６ｂに示されるＭＦＰの全てに送信しても良い。処理名記憶指示を受け付けたＭＦＰの制御部は、図１０に示すＳ２０３において、実行中の処理の処理名をＭＦＰ自身の記憶部に記憶する。制御部２７は、図１２に示すＳ１７１の後、図７に示すＳ１１０〜Ｓ１１３の処理を実行して、図７〜図８及び図１２に示す動作を終了しても良い。
【０１４０】
本発明の電子機器は、本実施の形態においてＭＦＰであるが、プリンター専用機、ファックス専用機、コピー専用機、スキャナー専用機など、ＭＦＰ以外の画像形成装置でも良いし、ＰＣ（Ｐｅｒｓｏｎａｌ  Ｃｏｍｐｕｔｅｒ）など、画像形成装置以外の電子機器でも良い。
【符号の説明】
【０１４１】
１０  音声入力システム
２０  音声入力装置（コンピューター）
２３  マイク
２６ａ  音声入力プログラム
２７ａ  音声入力手段
２７ｂ  開始指示受付手段
２７ｃ  指示送信手段
２７ｄ  阻害処理管理手段
３０  ＭＦＰ（電子機器）
【図１】
2018169442.tif 000003
【図２】
2018169442.tif 000004
【図３】
2018169442.tif 000005
【図４】
2018169442.tif 000006
【図５】
2018169442.tif 000007
【図６】
2018169442.tif 000008
【図７】
2018169442.tif 000009
【図８】
2018169442.tif 000010
【図９】
2018169442.tif 000011
【図１０】
2018169442.tif 000012
【図１１】
2018169442.tif 000013
【図１２】
2018169442.tif 000014